(57)【要約】 【課題】マイナスイオン発生器の電極部を、送風通路以外に装備して保守上の問題点を解消すること、および空調機器の送風通路よりの送風にマイナスイオンを効果的に付加すること。【解決手段】送風通路を有する電気機器において、マイナスイオン発生器の電極部を内蔵するマイナスイオン発生室を、空調機器の送風通路の終端に隣接して設け、空調機器の送風通路の終端より室内へ吹出す送風に、マイナスイオン発生室よりのマイナスイオンを混合する。負圧作用により効果的にマイナスイオンを混合することで、室内へのマイナスイオンの供給を増加するとともに、電極部への塵埃の付着を無くして保守を容易にする。【選択図】図２
2005061672.tif 000002
【特許請求の範囲】
【請求項１】
送風通路を有する空調機器において、
マイナスイオン発生器の電極部を内蔵するマイナスイオン発生室を、空調機器の送風通路の終端に隣接して設け、
空調機器の送風通路の終端より室内へ吹出す送風に、マイナスイオン発生室よりのマイナスイオンを混合したことを特徴とする、マイナスイオン発生装置付き空調機器。
【請求項２】
前面パネルにイオンＬＥＤ表示部を設け、
マイナスイオン発生器は温風ファンと連動して電源に接続され、
マイナスイオン発生器と温風ファンとが電源に接続されることで、イオンＬＥＤ表示部によりＬＥＤ表示することを特徴とする、請求項１に記載するマイナスイオン発生装置付き空調機器。
【請求項３】
石油ファンヒータの前面パネルの内側で温風吹出し口の上方で、マイナスイオン発生器の電極部を包囲するマイナスイオン発生室を設け、ルーバー枠の上部フランジに設けた多数の孔を介してマイナスイオン発生室と温風吹出し口とを連通し、マイナスイオン発生室内の電極部の放電方向を下向きとし、
石油ファンヒータの温風吹出し口より室内へ吹出す温風に、マイナスイオン発生室よりのマイナスイオンを混合したことを特徴とするマイナスイオン発生装置付き空調機器。
【請求項４】
前記温風吹出し口には、燃焼室よりの排気ガスを含む温風を供給することを特徴とする、請求項３に記載するマイナスイオン発生装置付き空調機器。
【発明の詳細な説明】
【技術分野】
【０００１】
本願発明は、石油ファンヒータ、除湿器、室内空気清浄システム器等の、送風通路を有する空調機器に関するものである。
より詳しくは、空調機器の送風通路より室内に吐出される送風に、マイナスイオンを付加するための装置に関するものである。
【背景技術】
【０００２】
この種の本発明は、マイナスイオン発生装置付き空調機器として、特開平１１−２１１２３６号「送風機能を備えた暖房器」（特許文献１）が公知である。該公知技術、および一般的なこの種技術においては、送風通路にマイナスイオン発生器の電極部が装備されている。
【０００３】
【特許文献１】特開平１１−２１１２３６号
【発明の開示】
【発明が解決しようとする課題】
【０００４】
上記の公知技術においては、マイナスイオン発生器の電極部が送風通路に露出していることで、電極部に塵埃が付着することや、高温部に電極部が存在することによる熱変形等の耐久性が劣る等の保守上の問題点が存在する。
よって、本願発明は、マイナスイオン発生器の電極部を、送風通路以外に装備することを課題とする。また、本発明は、空調機器の送風通路よりの送風にマイナスイオンを効果的に付加することを課題とする。
【課題を解決するための手段】
【０００５】
本願発明は、送風通路を有する電気機器において、マイナスイオン発生器の電極部を内蔵するマイナスイオン発生室を、空調機器の送風通路の終端に隣接して設け、空調機器の送風通路の終端より室内へ吹出す送風に、マイナスイオン発生室よりのマイナスイオンを混合したことを特徴とする。
【発明の効果】
【０００６】
本願発明は、マイナスイオン発生器の電極部を、送風通路の終端で室内へ吹出す送風に、マイナスイオン発生室よりのマイナスイオンを混合したので、負圧作用により効果的にマイナスイオンを混合することで、室内へのマイナスイオンの供給を増加することができるとともに、送風通路にマイナスイオン発生器の電極部えが存在しないことで、電極部への塵埃の付着を無くして保守を容易にする。電極部が高温個所に存在しないことで、電極部の耐久性を高めることができる。電極部への接触事故を防ぐことができる等の効果を有する。
【発明を実施するための最良の形態】
【０００７】
石油ファンヒータの前面パネルの内側で温風吹出し口（送風通路の終端）の上方で、マイナスイオン発生器の電極部を包囲する筒体を設けてマイナスイオン発生室を形成し、ルーバー枠の上部フランジに設けた多数の孔を介してマイナスイオン発生室と温風吹出し口とを連通し、マイナスイオン発生室内の電極部の放電方向を下向きとする。
温風吹出し口（送風通路の終端）の上方には、排気ガスを含む送風を供給する。
前面パネルにイオンＬＥＤ表示部を設け、マイナスイオン発生器を温風ファンと連動して電源に接続し、マイナスイオン発生器と温風ファンとが電源に接続されることで、イオンＬＥＤ表示部によりＬＥＤ表示する。
【実施例】
【０００８】
以下、図面を参照して、空調機器を石油ファンヒータとした実施例にもとづいて、本願発明を詳細に説明する。
【０００９】
図１および図２を参照して、バーナー部1２で燃焼した排気ガスｃは、燃焼室10を通り、遮熱板中８の内側を通り、温風モータ11に取付けられたプロペラファン９の作用で、機体前面のルーバー６より空気と混合した排ガスが放出される。
【００１０】
また、プロペラファンからの風は  燃焼室１０全体を冷却しながらルーバー６より温風ｂとして出る風と、遮熱板中８と遮熱板外３との間の空間Ｈを通りルーバー６より温風ｂとして出る風に分かれる。
【００１１】
ルーバー６の上部においては、排気ガスｃは、上記の温風ｂに混合して放出される。
【００１２】
前面パネル1にイオンＬＥＤ表示部２を設け、マイナスイオン発生器４は温風ファンと連動して電源に接続され、両者が電源に接続されていること、即ち、温風が出ているとともにマイナスイオンが出ていることを、イオンＬＥＤ表示部２によりＬＥＤ表示する。
【００１３】
石油ファンヒータの前面パネルの内側で温風吹出し口：ルーバー６の最上段（送風通路の終端）の上方で、マイナスイオン発生器４の電極部4ａを包囲するカバー板５を設ける。実施例では、カバー板の前面に前面パネル１を位置させて、電極部4ａの周囲を包囲してマイナスイオン発生室Ｑを形成する。ルーバー枠の上部フランジ７に設けた多数の孔13を介してマイナスイオン発生室Ｑと送風通路の終端部（温風吹出し口）Ｒとを連通する。
マイナスイオン発生室Ｑ内の電極部4ａは、その放電方向を下向きとする。
【００１４】
マイナスイオン発生器４の電極部４ａより放出されたマイナスイオンＰは、カバー板５および前面パネル1とで包囲された空間であるマイナスイオン発生室Ｑから、ルーバー枠７の上部の多数の孔13を通過して下方へ出て、送風通路の終端部（温風吹出し口：ルーバー６の最上段）Ｒで、排ガスｃを含む温風ｂに混合される。
かくして、ルーバー６の最上段からマイナスイオンＰを含む温風ａが室内へ放出される。
【００１５】
送風通路の終端部（温風吹出し口：ルーバー６の最上段）Ｒにおいて、排ガスｃを含む温風ｂの室内への吹出しに際して、負圧作用により、マイナスイオン発生室Ｑ内のマイナスイオンＰを吸引する。したがって、ルーバー６の最上段からマイナスイオンＰが、温風ａとともに室内へ放出され、温風ａには、従来に比はて、多量のマイナスイオンを含むこととなる。
【００１６】
実施例においては、送風通路の終端部（温風吹出し口：ルーバー６の最上段）Ｒにおいて、温風ｂは排ガスｃを含むが、排ガス中には、元々マイナスイオンは多く存在しているがプラスイオンも同様に存在している。マイナスイオン発生器により発生したイオンを排ガスと混合させることにより、排ガス中のプラスイオンを軽減させることが可能となる。
マイナスイオンは目に見えないため、マイナスイオンが発生していることを風とＬＥＤ表示で使用者に知らせる。
【００１７】
マイナスイオン発生器の電極部が、送風通路に存在しないことで、電極部に塵埃が付着することがない。電極部に使用者の手が不用意に接触することがない。高温部による電極部の熱変形等の耐久性が劣る等の従来技術の問題点を解消することができる。
【産業上の利用可能性】
【００１８】
本願発明は、石油ファンヒータその他の空調機器の利用を促進することにより、産業の発展に貢献するものである。
【図面の簡単な説明】
【００１９】
【図１】前面パネルの大部分を除去して示す、石油ファンヒータの正面図。
【図２】同じく縦断面図。
【図３】ルーバーの上部とマイナスイオン発生室の正面図。
【図４】ルーバー枠の上部フランジの平面図。
【図５】マイナスイオン発生室の斜視図。
【図６】マイナスイオン発生室および送風通路を縦断して示す、本発明の作用説明図。
【符号の説明】
【００２０】
１    前面パネル1
２    イオンＬＥＤ表示部
４    マイナスイオン発生器
4ａ    電極部
５    カバー板
７    上部フランジ
13    孔
ａ    マイナスイオンを含む温風
ｂ    温風
ｃ    排気ガス
Ｐ    マイナスイオン
Ｑ    マイナスイオン発生室
Ｒ    送風通路の終端部（温風吹出し口）
【図１】
2005061672.tif 000003
【図２】
2005061672.tif 000004
【図３】
2005061672.tif 000005
【図４】
2005061672.tif 000006
【図５】
2005061672.tif 000007
【図６】
2005061672.tif 000008